(57)【特許請求の範囲】
【請求項１】
支持アームの先端部に砥石を装着自在とする一方、支持アームの基端部にはドライヤのドラムローラを回転自在に支持する支えローラを軸着している支えローラ台に固定できる治具取付部材を配設すると共に、支持アーム先端の砥石を回転するドラムローラ外周面に所定の押圧力で押し当てる砥石押圧付勢手段を備えたことを特徴とするドライヤのドラムローラ補修治具。
【発明の詳細な説明】
【０００１】
【発明の属する技術分野】
本発明は、道路舗装材であるアスファルト合材の素材となる骨材の加熱に採用されるドライヤ等のドラムローラの補修治具に関する。
【０００２】
【従来の技術】
道路舗装材であるアスファルト合材を製造するアスファルトプラント及びリサイクルプラントではアスファルト合材の素材である骨材または廃材を加熱装置であるドライヤにて加熱乾燥している。
【０００３】
このドライヤは、図３、図４に示すように、円筒状のドラム１の外周部にリング状をした大径のドラムローラ２を配設する一方、機台３上の支えローラ台４に前後移動調整自在とした軸受５に支えローラ６を回転自在に軸着し、該支えローラ６により前記ドラムローラ２を回転自在に支持してドラム１を所定の速度で回転させるようにしている。また、支えローラ台４上の軸受５の前後微調整は、支えローラ台４の端部に突設したボルト取付片７に取り付けた軸受移動調整用ボルトナット８の締緩によって行うようにしている。
【０００４】
ドラム１の一端部にはホットホッパ９と共にドラム１内に熱風を送り込むバーナ１０が配設され、他端部にはコールドホッパ１１と共にドラム１内を通過した排ガスを排気する排気煙道１２が配設されている。そして、コールドホッパ１１側からベルトコンベヤ１３により供給される骨材はドラム１内を転動流下する間にバーナ１０より送り込まれる熱風により加熱されて所望の温度に昇温され、ホットホッパ１１側の排出口１４より排出されるようになっている。
【０００５】
そしてこの種のドライヤでは、ローラの調整不良や熱のためにドラムやベッド或は支えローラ台等が歪むと、ドラムローラと支えローラとが全面的に均一に接触しない状態となり、ドラムローラの外周面に「波打」と呼ばれる凹凸、つまり偏側摩耗を生じることがある。
【０００６】
この波打が生じるとドラムが振動し、支えローラやその軸受にも悪影響を及ぼすことになる。それゆえ、この波打を補修する必要があり、従来では携帯用の研削具であるサンダーを用意し、現地にてドラムローラの凹凸を一つ一つ手作業で研削して補修するようにしていた。
【０００７】
【発明が解決しようとする課題】
しかしながら、現地での手作業による研削補修では、ドラムに回り止めをすると共にドラムローラの周囲に作業用足場を確保しながら、ドラム頂上部にてサンダーによる研削作業を行っており、また研削の進行に合わせてドラムを少しずつ回転させるなど大変な手間と危険を伴う作業であった。
【０００８】
また、サンダーによる手作業での研削では、熟練者と言えどもローラ表面の凹凸を完璧に平坦とするということはなかなか難しく、補修後、しばらくすると再び波打現象が現われて研削補修を再度行わなければならないこともしばしば見受けられる。
【０００９】
本発明は上記の点に鑑み、研削補修作業を安全に、かつ効率良く行えるようにすると共に、ローラ表面の平坦度を精度高く仕上げることができるドライヤのドラムローラ補修治具を提供することを目的とする。
【００１０】
【課題を解決するための手段】
本発明は上記の目的を達成するために、支持アームの先端部に砥石を装着自在とする一方、支持アームの基端部にはドライヤのドラムローラを回転自在に支持する支えローラを軸着している支えローラ台に固定できる治具取付部材を配設すると共に、支持アーム先端の砥石を回転するドラムローラ外周面に所定の押圧力で押し当てる砥石押圧付勢手段を備えたことを特徴としている。
【００１１】
【発明の実施の形態】
本発明にあっては、ドライヤのドラムローラの近傍に治具取付部材を介してドラムローラ補修治具を取り付け、砥石押圧付勢手段を適宜調整しながら支持アームの先端に取り付けた砥石をドラムローラの外周面に所定の押圧力にて押し当てる。そしてドラムを回転させながらドラムローラ表面の凹凸を砥石にて研削して平坦にしていくのである。
【００１２】
【実施例】
以下、本発明の実施例を図面に基づいて説明する。
【００１３】
図中の２０はドラムローラ補修治具であり、ドラムローラ補修治具２０にはドライヤのドラムローラ２の近傍に取り付けるための板材よりなる治具取付部材２１が配設してある。該治具取付部材２１は、図４に示す支えローラ台４の上面端部に配設したボルト取付片７とそれに螺入した軸受移動調整用ボルトナット８によって挟み込んで固定するために、軸受移動調整用ボルトナット８の位置に合わせた切欠き孔２２を穿設している。
【００１４】
また、治具取付部材２１にはチャンネル材や厚手の帯鋼等の堅牢な部材よりなる適宜高さの支持部材２３を立設しており、該支持部材２３の側面には、帯鋼よりなり、略Ｊ字状に下端部を湾曲させた適宜長さの弾力を有する支持アーム２４を固着している。
【００１５】
前記支持アーム２４の遊端部には方形の砥石ホルダー２５を固着しており、該砥石ホルダー２５には平坦な研削面を有する直方体の砥石２６をボルトナット２７により固定している。
【００１６】
また、支持部材２３の先端部には砥石押圧付勢手段である砥石押圧用ボルト２８を支持部材２３に固着したナット２９に螺着すると共に、支持部材２３を貫通させてその先端部を支持アーム２４に取り付けたボルト受金具３０に回転自在に当接させている。
【００１７】
次に、前記ドラムローラ補修治具２０を使用してドラムローラ２の外周面を研削する方法について述べる。
【００１８】
図２に示すように、ドラムローラ補修治具２０を持ち上げて治具取付部材２１の切欠き孔２２を、支えローラ台４のボルト取付片７と軸受移動調整用ボルトナット８のナットを緩めてできた隙間に挟み入れ、ナットを締め付けてドラムローラ補修治具２０を支えローラ台４に固定する。
【００１９】
ドラムローラ補修治具２０を支えローラ台４に固定すると、適宜長さを有する支持アーム２４に取り付けた砥石２６はドラムローラ２の外周面に若干の隙間を有して臨むこととなる。
【００２０】
次いで、砥石押圧用ボルト２８をねじ込んで砥石２６をドラムローラ２の外周面に当接してから、ドラム１の回転を開始する。
ドラム１が回転し始めると、砥石押圧用ボルト２８を更にねじ込んで砥石２６をドラムローラ２の外周面に押付ける。この時の押圧力はドラムローラ２の凸部を研削するのに適当な力となるように調整しながら、砥石２６によりドラムローラ２の外周面を研削して波打状態となったドラムローラ２の外周面の凹凸を平坦にしていく。
【００２１】
この研削時間は波打の度合や砥石２６の表面粗さにもよるが、通常は５〜６時間でほぼ平坦となり、砥石２６は２〜３個程度を使用する。なお、ドラム内に材料を供給して実稼動中の方が研削効果が大である。
【００２２】
このように、本発明の方法によると、ドライヤの運転を停止することなくドラムローラの研削補修が行え、また安全で、労力も必要とせず精度の高い研削補修を行うことができる。
【００２３】
なお、本発明の実施例においては、ドラムローラ補修治具２０は支えローラ台４の軸受移動調整用ボルトナット８を利用して固定したが、何らこれに限定するものではなく、種々の取り付け方法を採用できる。
【００２４】
また、実施例においては支持部材２３に分岐させて砥石２６を装着した支持アーム２４を取り付け、砥石押圧付勢手段である砥石押圧用ボルト２８をねじ込んで砥石２６をドラムローラ２に押し当てるようにしたが、何らこれに限定するものではなく、例えば、スプリングや各種機器を使用して押圧付勢しても良いし、また砥石面がローラ面にうまく密着するように砥石の姿勢を調整できる機構を組み込むなど、本発明の要旨を逸脱しない範囲内において種々変更を加え得ることは勿論である。
【００２５】
【発明の効果】
以上のように本発明にあっては、支持アームの先端部に砥石を装着自在とする一方、支持アームの基端部にはドライヤのドラムローラを回転自在に支持する支えローラを軸着している支えローラ台に固定できる治具取付部材を配設すると共に、支持アーム先端の砥石を回転するドラムローラ外周面に所定の押圧力で押し当てる砥石押圧付勢手段を備えたので、研削補修作業を手作業によることなく自動的に行うことができて作業の効率化を図ることができると共に、熟練者でなくとも精度の高い研削補修が行える。また、作業用足場等の準備も不要でドラム上に上ることもないので危険作業を排除できる。
【図面の簡単な説明】
【図１】本発明に係るドラムローラ補修治具の一実施例を示す斜視図である。
【図２】ドラムローラ補修治具をドライヤに装着した様子を示す斜視図である。
【図３】ドライヤを示す説明図である。
【図４】図３のＡ−Ａ線の一部省略拡大矢視図である。
【符号の説明】
１…ドラム                  ２…ドラムローラ
４…支えローラ台            ５…支えローラ
２０…ドラムローラ補修治具  ２１…治具取付部材
２３…支持部材              ２４…支持アーム
２６…砥石                  ２８…砥石押圧用ボルト（砥石押圧付勢手段）
【図１】
0003828956.tif 000002
【図２】
0003828956.tif 000003
【図３】
0003828956.tif 000004
【図４】
0003828956.tif 000005